(57)【要約】【課題】意匠部の見え方に浮遊感を与えることが可能な照明装置を提供する。【解決手段】背景板４と、この背景板４の前方に間隔Ｄを隔てて配置され目盛等の意匠部６１を施してなる透視板６と、意匠部６１を照明する発光体８と、透視板６の前方に配置され発光体８からの光を透視板６と背景板４との離間方向（矢印Ｚ方向）に集光して意匠部６１に側方から照射する透光体７とを備えることにより、暗い背景中に、明るく光輝する意匠部６１や指針３３が浮かぶように表示されるため、意匠部の見え方に浮遊感を与えることができる。【選択図】図３
2005214774.tif 000002
【特許請求の範囲】
【請求項１】
背景板と、
この背景板の前方に間隔を隔てて配置され所定の意匠部を施してなる透視板と、
前記意匠部を照明する発光体と、
前記透視板の前方に少なくともその一部が位置し前記発光体からの光を前記透視板と前記背景板との離間方向に集光して前記意匠部に側方から照射する透光体とを備えることを特徴とする照明装置。
【請求項２】
前記発光体が複数の点状発光体で構成され、前記透光体が前記各点状発光体に対応するレンズ部を有することを特徴とする請求項１記載の照明装置。
【請求項３】
前記発光体が線状または帯状光源で構成され、前記透光体が前記線状または帯状光源に沿って延びるレンズ部を有することを特徴とする請求項１記載の照明装置。
【請求項４】
前記透光体が前記発光体からの光を前記透視板と前記背景板との離間方向に集光し、この離間方向とは直交する方向に拡散することを特徴とする請求項１記載の照明装置。
【請求項５】
前記背景板の外周端部に対して前記透光体の照射端部を側方に離間させたことを特徴とする請求項１記載の照明装置。
【発明の詳細な説明】
【技術分野】
【０００１】
本発明は、例えば時計や車載計器を照明する照明装置に関し、特に背景板上に配置した意匠部付き透視板を透光体を用いて照明する照明装置に関する。
【背景技術】
【０００２】
この種の照明装置として、下記特許文献１記載のものが知られている。当該特許文献１記載の照明装置は、光透過性のウオーニング意匠を設けた背景板（遮光板）と、この背景板の前方に間隔を隔てて配置され所定の意匠部を施してなる透視板（平板状導光体）と、背景板の背後に配置されウオーニング意匠を透過照明するウオーニング用光源と、透視板の外周端面に対向配置され意匠部をエッジライト方式で照明する照明用光源とを備えており、透過照明により発光するウオーニング意匠部と、エッジライト照明により発光する意匠部との間に、背景板と透視板との離間距離に応じた遠近感を持たせ、奥行きのある遠近感を持たせたものである。
【特許文献１】特開２０００−０２８３９９号公報
【発明の開示】
【発明が解決しようとする課題】
【０００３】
しかしながら、前記特許文献１記載の照明装置は、透視板が導光材料によって形成されているため、エッジライト方式にて一旦は透視板に導入された光が背景板の表面に至り、背景板の表面も照らし出すため、暗い背景中に発光する意匠部が浮かぶような表示を実現するのが難しく、せっかくの背景板と透視板の離間構成を生かすことができず、改良の余地が残されていた。
【０００４】
そこで本発明は、前述の課題に対処するため、意匠部の見え方に浮遊感を与えることが可能な照明装置を提供するものである。
【課題を解決するための手段】
【０００５】
本発明は、前記目的を達成するため、背景板と、この背景板の前方に間隔を隔てて配置され所定の意匠部を施してなる透視板と、前記意匠部を照明する発光体と、前記透視板の前方に少なくともその一部が位置し前記発光体からの光を前記透視板と前記背景板との離間方向に集光して前記意匠部に側方から照射する透光体とを備えることを特徴とする。
【０００６】
また本発明は、前記発光体が複数の点状発光体で構成され、前記透光体が前記各点状発光体に対応するレンズ部を有することを特徴とする。
【０００７】
また本発明は、前記発光体が線状または帯状光源で構成され、前記透光体が前記線状または帯状光源に沿って延びるレンズ部を有することを特徴とする。
【０００８】
また本発明は、前記透光体が前記発光体からの光を前記透視板と前記背景板との離間方向に集光し、この離間方向とは直交する方向に拡散することを特徴とする。
【０００９】
また本発明は、前記背景板の外周端部に対して前記透光体の照射端部を側方に離間させたことを特徴とする請求項１記載の照明装置。
【発明の効果】
【００１０】
本発明によれば、初期の目的を達成でき、意匠部の見え方に浮遊感を与えることが可能な照明装置を提供することができる。
【発明を実施するための最良の形態】
【００１１】
以下、図面に基づいて本発明による照明装置を車載計器に適用した場合を例として実施形態を説明する。
図１から図４は、本発明の第１の実施形態を示すもので、図１は本実施形態による照明装置の全体概要を示す断面図、図２はカバー部材を取り除いた際の正面図、図３は図１の要部を拡大して示す断面図、図４は図２の要部を拡大して示す正面図である。
【００１２】
図１において本実施形態による照明装置は、例えば回路基板からなる基板１と、この基板１の前方側に配置されるケース体２と、このケース体２上に配置される指針駆動ユニット３及び背景板４と、ケース体２の周囲に配置される支持体５と、この支持体５上に配置される意匠板（透視板）６及び透光体７及び発光体８と、意匠板６の一部及び透光体７及び発光体８の前方を覆うカバー部材９とを備えている。
【００１３】
指針駆動ユニット３は、配線基板３１と、この配線基板３１に保持される例えばステッピングモータからなる指針駆動装置３２と、この指針駆動装置３２によって軸回り回転する指針３３とから構成されている。
【００１４】
指針駆動装置３２は、図示しない永久磁石をコイルに生じる磁界を介して回転させると、指針軸３４が回転するもので、指針軸３４は、背景板４及び意匠板６を介して前方に延びている。
【００１５】
指針３３は、指針軸３４の先端に連結され、その指示部が意匠板６に沿って延びると共に指針軸３４の回転に連動して意匠板６の表面を回転運動するように構成されている。なお本例の指針３３は、遮光性を有する合成樹脂材料からなり、その表面に光沢を有する金属性被膜（例えば銀色または金色）がメッキや塗装等の手段により被着され、発光体８からの光をその表面で反射することにより照明されるものであるが、指針３３は光透過性に形成してもよい。
【００１６】
背景板４は、ＰＣまたはＰＭＭＡ等の合成樹脂基板の表面に例えば黒色等、暗色の遮光性インクを印刷してなるが、光反射性を低く抑えるために、植毛処理や暗色スモーク層やフィルム等を付加してもよい。
【００１７】
支持体５は、例えば遮光性を有する合成樹脂からなり、背景板４の外周を取り巻いて前方に延びる第１の壁部５１と、この第１の壁部５１に連続し意匠板６に沿って外側に延びる第２の壁部５２とを有し、第２の壁部５２の前方に意匠板６及び透光体７及び発光体８が配置されている。
【００１８】
意匠板６は、例えばＰＣまたはＰＭＭＡ等の実質的に無色透明な合成樹脂性の基板からなり、その表面に指針３３の指示対象となる目盛、数字、文字等の意匠部６１が部分形成され、意匠部６１以外は透明に形成されている。
【００１９】
なお意匠部６１は本例の場合、指針３３と同様、例えば銀色または金色等の金属性光沢を有する被膜からなり、印刷や転写、塗装等の適宜手段により設けられており、発光体８からの光をその表面で反射することにより照明されるものであるが、意匠部６１は光透過性を有するように設けてもよいし、基板の裏面に設けてもよい。
【００２０】
ここで意匠板６と背景板４とは、図３に示すように間隔Ｄ１ぶん板厚方向（図３中、矢印Ｚ方向、または指針軸３４の延長方向）に離間している。
【００２１】
透光体７は、例えばＰＣまたはＰＭＭＡ等の実質的に無色透明な合成樹脂材料からなり、透視板６の前方に配置されている。
【００２２】
本例ではこの透光体７は、図２に示すように、意匠部６１を取り巻くリング状に形成され、発光体８に対応する位置には、発光体８からの光を入射端部７２から導入して照射端部７３を通じて意匠部６１に側方から照射するレンズ部（凸レンズ部）７１が各発光体８毎に設けられている。また透光体７において意匠部６１に最も近い照射端部７３は、図３に示すように、背景板４の外周端部に対して所定距離Ｄ２ぶん離間させている。これによって透光体７から背景板４に至る光を低く抑えるようにしている。
【００２３】
これらレンズ部７１は、図３，図４に示すように、発光体８から意匠部６１に向かう光（矢印Ｙ方向参照）を透視板６と背景板４との離間方向（矢印Ｚ方向、または指針軸３４の延長方向）、及びこの離間方向とは直交する方向（矢印Ｘ方向、または指針軸３４の延長公報とは直交する方向）に集光し、外周側方から意匠部６１に照射するものである。
【００２４】
発光体８は、指針３３の回転中心（指針軸３４の軸心）を基準点として意匠部６１及びリング状透光体７の周囲を取り巻くように、一定間隔を有して複数配置された発光ダイオード（点状光源）からなり、これら発光体８の発光部は指針３３の回転中心を向いており、意匠部６１を透光体７を介して側方から照明するようになっている。
【００２５】
なお本例では、発光体８を透光体７の外側であって意匠板６と同一平面上に配置したが、発光体８の位置は、透光体７を通じて側方より意匠部６１に光を照射できれば、任意であり、例えば透光体７の背後や前方に配置してもよい。
【００２６】
また本例では意匠部６１に側方より光を照射するに際し、内側に位置する意匠部６１に外側から光照射する例を示しているが、意匠部６１を側方より照明できれば、外側に位置する意匠部６１に内側から光照射する構成を採用してもよい。
【００２７】
以上のように、本実施形態では、背景板４と、この背景板４の前方に間隔Ｄ１を隔てて配置され目盛等の意匠部６１を施してなる透視板６と、意匠部６１を照明する発光体８と、透視板６の前方に少なくともその一部が位置し発光体８からの光を透視板６と背景板４との離間方向（矢印Ｚ方向）に集光して意匠部６１に側方から照射する透光体７とを備えることにより、意匠部の見え方に浮遊感を与えることができる。
【００２８】
すなわち、本実施形態によれば、透光体７が発光体８からの光を、特に透視板６と背景板４との離間方向である矢印Ｚ方向に集光するため、背景板の表面に到達してこの部分を照らす光を低く抑えることができる一方、意匠部６１や指針３３といった照明対象に向かう光を多くでき、その結果、暗い背景中に、明るく光輝する意匠部６１や指針３３が浮かぶように表示されるため、意匠部の見え方に浮遊感を与えることができる。
【００２９】
また本実施形態では、発光体８が複数の点状発光体で構成され、透光体７が各点状発光体に対応するレンズ部を有する構成としたので、所定の基準点（この例では指針３３の回転中心）で交わる光線によって様々な方向から照明対象を照明でき、明るい照明が可能となる。
【００３０】
なお本実施形態では、発光体８を点状としたが、発光体は例えば放電管のごとき線状形状やＥＬ（エレクトロルミネッセンス）のごとき帯状形状であってもよい。この場合、透光体７のレンズ７１は、少なくとも透視板６と背景板４との離間方向に光を集光できるよう、線状または帯状光源に沿って延びるレンズ形状に設定すればよい。
【００３１】
また本実施形態では、背景板４の外周端部に対して透光体７の照射端部７３を外側側方に離間させたことによっても、透光体７から背景板４に至る光を低く抑えるようにしている。
【００３２】
図５は、本発明の第２の実施形態として、意匠板（透視板）６の変形例を示すもので、本実施形態では意匠板６が傾斜部６２を有し、この傾斜部６２に意匠部６１を形成しており他は前記第１の実施形態と同様である。本実施形態によっても前記第１の実施形態と同様のメリットを期待できる。
【００３３】
図６及び図７は、本発明の第３の実施形態として、意匠部６１の変形例を示すもので、本実施形態では前記第１の実施形態の目盛、文字、数字等の意匠部６１を立体造形物６３にて構成したもので、図６及び図７で目盛のみ示すが、数字部も同様の構成となっている。
すなわち、立体造形部６３は、例えば適宜の合成樹脂材料からなり意匠部６１の立体造形を形作る基体６４と、この基体６４の表面に塗装、メッキ、蒸着等の適宜手段により被着された例えば銀色または金色等の金属性光沢を有する被膜６５とで構成され、本例では熱溶着により意匠板６に固定されている。
【００３４】
この場合、基体６４は、傾斜方向に異なる複数の傾斜面６４ａを備えており、この結果、立体造形部６３の外壁面は複数の傾斜反射面６４ｂとして形成されている。
【００３５】
このように本実施形態では、意匠部６１が立体造形物６３でなることにより、前記第１の実施形態と同様のメリットに加え、立体感を有して視認されると共に、傾斜反射面６４ｂを通じて光が様々な方向に反射するため、キラキラ感を有する独特の見栄えをもって視認されるというメリットがある。
【００３６】
図８は、本発明の第４の実施形態として、意匠部６１の他の変形例を示すもので、本実施形態では前記第１の実施形態の目盛、文字、数字等の意匠部６１を光拡散処理部６６によって形成したものである。
【００３７】
すなわち、光拡散処理部６６は、意匠板６それ自体を構成する光沢性を有する基板の表面に、例えばビーズを混入することにより表面に微細凹凸を形成する光拡散性インクや紫外線を照射することで表面に微細凹凸を形成する光拡散性インクを用いてスクリーン印刷することにより形成されており、透光体７を通じて側方より照射される光をその表面にて乱反射することにより、意匠として視認されるものである。
【００３８】
このように構成される本実施形態でも前記第１の実施形態と同様の効果を期待できると共に、意匠部６１が乱反射によって視認される独特の見栄えを実現することができる。
【００３９】
なお本実施形態では、印刷により光拡散処理部６６を形成したが、側方から照射される光を乱反射することで意匠部６１として視認させることができれば、意匠板６を構成する基板の金型成型（合成樹脂の射出成形）時に形成するこもできる。またその表面にて光を乱射させる凹凸面としては、不規則な形状の他、所定の幾何学模様（例えばダイヤカット模様、縞模様）を呈する乱反射面に設定してもよい。
【００４０】
図９及び図１０は、本発明の第５の実施形態として、透光体７のレンズ部７１の変形例を示すもので、本実施形態によるレンズ部７１は、発光体８からの光を矢印Ｚ方向に集光すると同時に矢印Ｘ方向に拡散する機能を有している。
【００４１】
すなわち、レンズ部７１の入射端部７２は矢印Ｘ，Ｙ方向共に凸レンズ形状であり、発光体８からの光を集光する機能を有するが、照射端部７３は矢印Ｙ方向に対しは凸レンズ形状、矢印Ｘ方向に対しては凹レンズ形状に設定されているため、矢印Ｙ方向に対しては、発光体８の光照射範囲よりも広い範囲に光を照射することができるように構成されている。
【００４２】
このように構成される本実施形態によれば、前記第１の実施形態と同様のメリットに加え、矢印Ｙ方向に対しては光を拡散することで、意匠板６の広い範囲に光を照射することができ、比較的広い範囲を照明する場合に有利となる。
【００４３】
図１１及び図１２は、本発明の第６の実施形態として、透光体７のレンズ部７１の他の変形例を示すもので、本実施形態によるレンズ部７１は、発光体８からの光を矢印Ｚ方向に集光し、矢印Ｘ方向に拡散する点では前記第４の実施形態と同様であるが、照射端部７３の形状が異なっている。
【００４４】
すなわち、レンズ部７１の入射端部７２は矢印Ｘ，Ｙ方向共に凸レンズ形状であり、発光体８からの光を集光する機能を有するが、照射端部７３は矢印Ｙ方向に対しは凸レンズ形状、矢印Ｘ方向に対しては凹レンズ形状に設定されており、しかも照射端部７３は、複数（この場合２つ）に分割形成されている。このため、照射端部７３にあっては、前記第４の実施形態の場合よりも更に広範囲に光を拡散できるものである。
【００４５】
なお前記第１〜第５の実施形態では本発明による照明装置を車載計器に適用する場合を示したが、車載計器に限らずあらゆる照明装置に適用することができる。
【図面の簡単な説明】
【００４６】
【図１】本発明の第１の実施形態による照明装置の全体概略構成を示す断面図である。
【図２】同実施形態の要部を示すもので、カバー部材を取り外した場合の正面図である。
【図３】同実施形態の要部を示すもので、図１の一部を拡大して示す断面図である。
【図４】同実施形態の要部を示すもので、透光体と発光体の要部正面図である。
【図５】本発明の第２の実施形態による照明装置の全体概略構成を示す断面図である。
【図６】本発明の第３の実施形態による意匠部の要部を示す正面図である。
【図７】同実施形態の要部を示すもので、図６のＡ−Ａ断面図である。
【図８】本発明の第４の実施形態による意匠部の要部を示す正面図である。
【図９】本発明の第５の実施形態による透光体の要部を示す正面図である。
【図１０】同実施形態の要部を示すもので、図９のＢ−Ｂ断面図である。
【図１１】本発明の第６の実施形態による透光体の要部を示す正面図である。
【図１２】同実施形態の要部を示すもので、図１１のＣ−Ｃ断面図である。
【符号の説明】
【００４７】
１  基板
２  ケース体
３  指針駆動ユニット
４  背景板
５  支持体
６  意匠板（透視板）
７  透光体
８  発光体
９  カバー部材
３１  配線基板
３２  指針駆動装置
３３  指針
３４  指針軸
５１  第１の壁部
５２  第２の壁部
６１  意匠部
６２  傾斜部
６３  立体造形物（意匠部）
６４  基体
６４ａ  傾斜面
６４ｂ  傾斜反射面
６６  光拡散処理部（意匠部）
７１  レンズ部（凸レンズ部）
７２  入射端部
７３  照射端部
Ｄ１  間隔
Ｄ２  所定距離
【図１】
2005214774.tif 000003
【図２】
2005214774.tif 000004
【図３】
2005214774.tif 000005
【図４】
2005214774.tif 000006
【図５】
2005214774.tif 000007
【図６】
2005214774.tif 000008
【図７】
2005214774.tif 000009
【図８】
2005214774.tif 000010
【図９】
2005214774.tif 000011
【図１０】
2005214774.tif 000012
【図１１】
2005214774.tif 000013
【図１２】
2005214774.tif 000014